(57)【要約】【課題】無線通信機能を停止した状態の携帯型情報端末に無線送信すべき情報が発生した場合、この携帯型情報端末の無線通信の開始を促す旨を医療従事者に即座に伝えることができること。【解決手段】無線通信機能を有する携帯端末Ｐ1〜Ｐnに対し、アクセスポイント３Ａ1〜３Ａn，３Ｂ1〜３Ｂnのいずれかを介して医療情報を送信する際に、制御部８は、この送信先である携帯端末が無線通信機能を停止した状態であるか否かを判断し、停止した状態であると判断した場合、ケーブルを介して報知器４Ａ1〜４Ａn，４Ｃ1〜４Ｃnの駆動を開始する。報知器４Ａ1〜４Ａn，４Ｃ1〜４Ｃnは、かかる制御部８の制御に基づいて所定の光を出力し、この送信先の携帯端末の無線通信の開始を促す旨を医療従事者に報知する。【選択図】        図１
2007026096.tif 000002
【特許請求の範囲】
【請求項１】
無線通信機能を有する携帯型情報端末に対して無線通信を行うアクセスポイントを有し、医療行為に関する医療情報の保持および管理を行うとともに、前記アクセスポイントを介して前記携帯型情報端末に前記医療情報を送受信する病院情報システムにおいて、
前記携帯型情報端末の無線通信の開始を促す旨を報知する報知手段と、
ケーブルを介して前記報知手段を接続し、前記医療情報を無線送信する送信先の携帯型情報端末が無線通信機能を停止した状態であるか否かを判断し、停止した状態であると判断した場合、前記送信先の携帯型情報端末の無線通信の開始を促す旨を報知する制御を行う制御手段と、
を備えたことを特徴とする病院情報システム。
【請求項２】
前記アクセスポイントは、複数であり、
前記報知手段は、前記複数のアクセスポイントの各近傍にそれぞれ配置され、
前記制御手段は、前記携帯型情報端末が無線通信機能を停止する前に無線通信を行った最後のアクセスポイントを前記複数のアクセスポイントの中から特定し、特定した該最後のアクセスポイントの近傍に配置された前記報知手段に対して、前記送信先の携帯型情報端末の無線通信の開始を促す旨を報知する制御を行うことを特徴とする請求項１に記載の病院情報システム。
【請求項３】
無線通信機能を停止した状態の前記携帯型情報端末を特定する特定情報を記憶する記憶手段を備え、
前記制御手段は、前記特定情報と前記送信先の携帯型情報端末の特定情報とが一致する場合、前記送信先の携帯型情報端末が無線通信機能を停止した状態であると判断することを特徴とする請求項１または２に記載の病院情報システム。
【請求項４】
前記記憶手段は、前記最後のアクセスポイントと前記特定情報とを対応付けて記憶し、
前記制御手段は、前記特定情報をもとに前記最後のアクセスポイントを特定することを特徴とする請求項３に記載の病院情報システム。
【請求項５】
前記制御手段は、
無線通信を禁止した無線禁止領域の出入り口の外側近傍に存在する携帯型情報端末を検知する端末検知手段と、
前記端末検知手段によって検知された携帯型情報端末に対して無線通信機能を停止する制御を行う無線停止制御手段と、
を備えたことを特徴とする請求項１〜４のいずれか一つに記載の病院情報システム。
【請求項６】
前記制御手段は、前記端末検知手段によって検知された携帯型情報端末に前記医療情報を送信する制御を行う通信制御手段を備え、
前記無線停止制御手段は、前記通信制御手段によって前記医療情報が送信された前記携帯型情報端末装置に対して無線通信機能を停止する制御を行うことを特徴とする請求項５に記載の病院情報システム。
【請求項７】
前記報知手段は、少なくとも前記無線禁止領域内に配置され、
前記無線禁止領域内の報知手段の近傍に位置する前記アクセスポイントは、前記無線禁止領域の出入り口の外側近傍に存在する前記携帯型情報端末に対して無線通信を行い、
前記端末検知手段は、前記出入り口の外側近傍のアクセスポイントと携帯型情報端末との無線通信によって、前記出入り口の外側近傍に存在する携帯型情報端末を検知することを特徴とする請求項５または６に記載の病院情報システム。
【発明の詳細な説明】
【技術分野】
【０００１】
この発明は、医療行為の実施内容を指示する医療オーダを医療従事者の携帯型情報端末に無線送信し、この医療オーダに従って医療行為を実施できるように医療従事者を支援する病院情報システムに関するものである。
【背景技術】
【０００２】
従来から、医師または看護師等の医療従事者によって携帯される携帯型情報端末に対して無線通信を行う無線ＬＡＮを病院内に構築し、医療行為の実施内容を指示する医療オーダをこの携帯型情報端末に無線送信して医療従事者に医療オーダを伝達する病院情報システムが提案されている。医療従事者は、このように携帯型情報端末に受信された医療オーダを確認し、この医療オーダに従って医療行為を実施する。かかる病院情報システムは、医療オーダに従って医療行為を実施できるように医療従事者を支援する。
【０００３】
しかし、無線通信によって送受信される電波の干渉に起因して医療機器が誤動作する恐れがあるため、病院内では、例えば手術室のように医療機器を用いて医療行為を行う医療現場での無線通信が禁止されている。このように無線通信が禁止された無線禁止領域に立ち入る場合、医療従事者は、自身が携帯する携帯型情報端末の電源をオフ状態にし、この携帯型情報端末による電波の出力を停止する必要がある。かかる無線禁止領域での無線通信を禁止する技術に関し、無線禁止領域に入る携帯電話機の無線部の電源をオフにすることによって携帯電話機の無線通信機能を停止するシステムがある（例えば、特許文献１参照）。
【０００４】
【特許文献１】特開平１１−６９４１２号公報
【発明の開示】
【発明が解決しようとする課題】
【０００５】
ところで、医療従事者が病院内の無線禁止領域内に移動し、その後、この医療従事者に対する医療オーダが変更された場合、無線禁止領域内の携帯型情報端末に対して医療オーダを無線送信することは禁止されているので、この携帯型情報端末に無線送信すべき変更後の医療オーダがある旨を無線禁止領域内の医療従事者に即座に伝えなければならない。しかしながら、上述した特許文献１に記載された従来技術では、このように携帯型情報端末に無線送信すべき情報が発生した場合、無線禁止領域内の医療従事者に対し、かかる携帯型情報端末の無線通信を開始すべき旨を即座に伝えることが困難であるという問題点があった。
【０００６】
この発明は、上記事情に鑑みてなされたものであって、無線通信機能を停止した状態の携帯型情報端末に無線送信すべき情報が発生した場合、この携帯型情報端末の無線通信の開始を促す旨を医療従事者に即座に伝えることができる病院情報システムを提供することを目的とする。
【課題を解決するための手段】
【０００７】
上述した課題を解決し、目的を達成するために、請求項１にかかる病院情報システムは、無線通信機能を有する携帯型情報端末に対して無線通信を行うアクセスポイントを有し、医療行為に関する医療情報の保持および管理を行うとともに、前記アクセスポイントを介して前記携帯型情報端末に前記医療情報を送受信する病院情報システムにおいて、前記携帯型情報端末の無線通信の開始を促す旨を報知する報知手段と、ケーブルを介して前記報知手段を接続し、前記医療情報を無線送信する送信先の携帯型情報端末が無線通信機能を停止した状態であるか否かを判断し、停止した状態であると判断した場合、前記送信先の携帯型情報端末の無線通信の開始を促す旨を報知する制御を行う制御手段と、を備えたことを特徴とする。
【０００８】
また、請求項２にかかる病院情報システムは、上記発明において、前記アクセスポイントは、複数であり、前記報知手段は、前記複数のアクセスポイントの各近傍にそれぞれ配置され、前記制御手段は、前記携帯型情報端末が無線通信機能を停止する前に無線通信を行った最後のアクセスポイントを前記複数のアクセスポイントの中から特定し、特定した該最後のアクセスポイントの近傍に配置された前記報知手段に対して、前記送信先の携帯型情報端末の無線通信の開始を促す旨を報知する制御を行うことを特徴とする。
【０００９】
また、請求項３にかかる病院情報システムは、上記発明において、無線通信機能を停止した状態の前記携帯型情報端末を特定する特定情報を記憶する記憶手段を備え、前記制御手段は、前記特定情報と前記送信先の携帯型情報端末の特定情報とが一致する場合、前記送信先の携帯型情報端末が無線通信機能を停止した状態であると判断することを特徴とする。
【００１０】
また、請求項４にかかる病院情報システムは、上記発明において、前記記憶手段は、前記最後のアクセスポイントと前記特定情報とを対応付けて記憶し、前記制御手段は、前記特定情報をもとに前記最後のアクセスポイントを特定することを特徴とする。
【００１１】
また、請求項５にかかる病院情報システムは、上記発明において、前記制御手段は、無線通信を禁止した無線禁止領域の出入り口の外側近傍に存在する携帯型情報端末を検知する端末検知手段と、前記端末検知手段によって検知された携帯型情報端末に対して無線通信機能を停止する制御を行う無線停止制御手段と、を備えたことを特徴とする。
【００１２】
また、請求項６にかかる病院情報システムは、上記発明において、前記制御手段は、前記端末検知手段によって検知された携帯型情報端末に前記医療情報を送信する制御を行う通信制御手段を備え、前記無線停止制御手段は、前記通信制御手段によって前記医療情報が送信された前記携帯型情報端末装置に対して無線通信機能を停止する制御を行うことを特徴とする。
【００１３】
また、請求項７にかかる病院情報システムは、上記発明において、前記報知手段は、少なくとも前記無線禁止領域内に配置され、前記無線禁止領域内の報知手段の近傍に位置する前記アクセスポイントは、前記無線禁止領域の出入り口の外側近傍に存在する前記携帯型情報端末に対して無線通信を行い、前記端末検知手段は、前記出入り口の外側近傍のアクセスポイントと携帯型情報端末との無線通信によって、前記出入り口の外側近傍に存在する携帯型情報端末を検知することを特徴とする。
【発明の効果】
【００１４】
この発明によれば、無線通信機能を停止した状態の携帯型情報端末に対して無線送信すべき情報が発生した場合、この携帯型情報端末の無線通信の開始を促す旨を医療従事者に即座に報知でき、この無線送信すべき情報を携帯型情報端末に早期に受信するよう促すことができる医療情報システムを実現できるという効果を奏する。
【発明を実施するための最良の形態】
【００１５】
以下、添付図面を参照して、この発明にかかる病院情報システムの好適な実施の形態を詳細に説明する。なお、この実施の形態によって、この発明が限定されるものではない。
【００１６】
（実施の形態１）
図１は、この発明の実施の形態１である病院情報システムの一構成例を模式的に示すブロック図である。図１に示すように、この病院情報システム１は、医療行為の実施内容を指示する医療オーダ等の医療情報を入力する情報端末２と、無線通信機能を有する携帯型情報端末（以下、単に携帯端末と記す場合がある）Ｐ1〜Ｐn（ｎ：１以上の整数）と、携帯端末Ｐ1〜Ｐnとの間で無線通信を行う無線ＬＡＮのアクセスポイント３Ａ1〜３Ａn，３Ｂ1〜３Ｂnと、携帯端末の無線通信機能の開始を促す旨を報知する報知器４Ａ1〜４Ａn，４Ｂ1〜４Ｂnと、病院情報システムの各構成部の制御および情報処理を行うサーバ６と、を有する。情報端末２、アクセスポイント３Ａ1〜３Ａn，３Ｂ1〜３Ｂn、および報知器４Ａ1〜４Ａn，４Ｂ1〜４Ｂn、およびサーバ６は、有線ＬＡＮ９を形成して互いに接続される。また、携帯端末Ｐ1〜Ｐnは、無線ＬＡＮを形成してアクセスポイント３Ａ1〜３Ａn，３Ｂ1〜３Ｂnのいずれかに接続する。
【００１７】
かかる病院情報システム１は、例えば病院内に設置される。具体的には、情報端末２およびサーバ６は、病院内の所定の場所に設置され、アクセスポイント３Ａ1〜３Ａn，３Ｂ1〜３Ｂnおよび報知器４Ａ1〜４Ａn，４Ｂ1〜４Ｂnは、各フロアまたは各病棟にそれぞれ設置される。携帯端末Ｐ1〜Ｐnは、医師または看護師等の医療従事者に携帯され、医療従事者とともに病院情報システム１内を移動する。
【００１８】
情報端末２は、医療従事者に指示する医療オーダを入力するためのものである。具体的には、情報端末２は、パーソナルコンピュータ（ＰＣ）を用いて実現され、サーバ６に対して医療オーダ等の医療情報を入力する。また、情報端末２は、既にサーバ６に入力した医療オーダを変更する機能を有する。この場合、情報端末２は、サーバ６によって既に保持管理されている医療オーダを読み出し、この読み出した医療オーダを変更してサーバ６に入力する。これによって、情報端末２は、サーバ６内の医療オーダを更新できる。かかる医療オーダの更新処理によって、情報端末２は、医療オーダによって指示する医療行為の実施内容を変更（更新）できる。
【００１９】
アクセスポイント３Ａ1〜３Ａn，３Ｂ1〜３Ｂnは、無線ＬＡＮのアクセスポイントであって、携帯端末Ｐ1〜Ｐnとの間で形成される無線ＬＡＮと上述した有線ＬＡＮ９との接続を中継するよう機能する。具体的には、アクセスポイント３Ａ1〜３Ａn，３Ｂ1〜３Ｂnは、例えば所定の電波を介して携帯端末Ｐ1〜Ｐnと無線通信を行い、かかる携帯端末Ｐ1〜Ｐnと有線ＬＡＮ９との間でデータを送受信する情報通信を媒介する。より具体的には、アクセスポイント３Ａ1〜３Ａnは、病院内において無線ＬＡＮによる無線通信が許可された無線許可領域である領域Ａ1〜Ａnにそれぞれ配置され、領域Ａ1〜Ａn内に存在する各携帯端末Ｐ1〜Ｐnとの間で無線通信をそれぞれ行う。この場合、かかる領域Ａ1〜Ａnのそれぞれは、アクセスポイント３Ａ1〜３Ａnの各電波到達可能領域に相当する。
【００２０】
一方、アクセスポイント３Ｂ1〜３Ｂnは、病院内において無線ＬＡＮによる無線通信が禁止された無線禁止領域である領域Ｃ1〜Ｃnの外側近傍の領域Ｂ1〜Ｂnにそれぞれ配置される。この場合、アクセスポイント３Ｂ1〜３Ｂnは、領域Ａ１〜Ａｎおよび領域Ｃ１〜Ｃｎに対して電波が到達しないように、電波出力およびアンテナの最適化または電波遮蔽措置等が行われることが望ましい。かかるアクセスポイント３Ｂ1〜３Ｂnは、各領域Ｂ1〜Ｂn内に所定の電波をそれぞれ出力し、領域Ｂ1〜Ｂn内に存在する各携帯端末Ｐ1〜Ｐnとの間で無線通信をそれぞれ行う。
【００２１】
なお、かかる領域Ｂ1〜Ｂnは、領域Ｃ1〜Ｃnの出入り口の外側の領域であって、領域Ｃ1〜Ｃn内に入る携帯端末Ｐ1〜Ｐnの無線通信動作を制限する、すなわち無線通信機能を停止するための領域（制限領域）である。携帯端末Ｐ1〜Ｐnのいずれかを携帯する医療従事者は、それぞれ領域Ｂ1〜Ｂn内を通過して領域Ｃ1〜Ｃn内に入る。
【００２２】
報知器４Ａ1〜４Ａn，４Ｃ1〜４Ｃnは、携帯端末Ｐ1〜Ｐnのうちの無線通信機能を停止した状態である携帯端末に無線送信すべき情報（送信待ち情報）が発生した場合に、かかる携帯端末の無線通信の開始を促す旨を医療従事者に報知するためのものである。具体的には、報知器４Ａ1〜４Ａn，４Ｃ1〜４Ｃnは、回転灯、信号灯、または表示灯等の灯器を用いて実現され、サーバ６による制御に基づいて所定の光を出力する。より具体的には、報知器４Ａ1〜４Ａnは、領域Ａ1〜Ａn内にそれぞれ配置される。この場合、報知器４Ａ1〜４Ａnは、領域Ａ1〜Ａn内にそれぞれ所定の光を出力し、これによって、上述した無線通信の開始を促す旨を領域Ａ1〜Ａn内の各医療従事者に対してそれぞれ報知する。一方、報知器４Ｃ1〜４Ｃnは、領域Ｃ1〜Ｃn内にそれぞれ配置される。この場合、報知器４Ｃ1〜４Ｃnは、領域Ｃ1〜Ｃn内にそれぞれ所定の光を出力し、これによって、上述した無線送信の開始を促す旨を領域Ｃ1〜Ｃn内の各医療従事者に対してそれぞれ報知する。
【００２３】
なお、報知器４Ａ1〜４Ａn、報知器４Ｃ1〜４Ｃn、アクセスポイント３Ａ1〜３Ａn、およびアクセスポイント３Ｂ1〜３Ｂnのそれぞれは、互いに近傍に位置する。例えば、報知器４Ａ1、報知器４Ｃ1、アクセスポイント３Ａ1、およびアクセスポイント３Ｂ1は、互いに近傍に位置し、報知器４Ａn、報知器４Ｃn、アクセスポイント３Ａn、およびアクセスポイント３Ｂnは、互いに近傍に位置する。
【００２４】
携帯端末Ｐ1〜Ｐnは、サーバ６との間で医療情報を送受信するためのものである。具体的には、携帯端末Ｐ1〜Ｐnは、無線通信機能を有する携帯型情報端末であり、例えば無線ＬＡＮカードを備えたＰＤＡによって実現される。かかる携帯端末Ｐ1〜Ｐnは、タッチパネルまたは入力キー等の情報入力を行う入力部と、ＬＣＤ等の情報を表示する表示部と、取得した情報を記憶する記憶部と、無線ＬＡＮのアクセスポイントと無線通信を行う無線通信部と、これらの各構成部の駆動を制御するとともに所定の情報処理を行う制御部と、を備える。かかる携帯端末Ｐ1〜Ｐnは、通常のＰＤＡの機能を有し、例えば、入力部を操作して入力した医療情報を表示部に表示し、または記憶部に保存する。また、携帯端末Ｐ1〜Ｐnは、アクセスポイント３Ａ1〜３Ａn，３Ｂ1〜３Ｂnのいずれかと無線通信を行い、サーバ６との間で医療情報を送受信する。なお、この医療情報として、医療行為の実施内容を指示する医療オーダ、医療従事者が行った医療行為を記録した医療実施記録等が挙げられる。
【００２５】
また、携帯端末Ｐ1〜Ｐnは、アクセスポイント３Ａ1〜３Ａn，３Ｂ1〜３Ｂnのいずれかを介してサーバ６から受信した処理コマンドに従って処理を実行する。例えば、携帯端末Ｐ1〜Ｐnは、ＩＤ情報を問い合わせる処理コマンドをサーバ６から受信した場合、この問い合わせの処理コマンドに従って自身のＩＤ情報をサーバ６に送信し、医療実施記録の送信を要求する処理コマンドをサーバ６から受信した場合、この送信要求の処理コマンドに従って医療実施記録をサーバ６に送信する。また、携帯端末Ｐ1〜Ｐnは、無線通信機能の停止を要求する処理コマンドをサーバ６から受信した場合、この無線停止要求の処理コマンドに従って自身の無線通信機能を停止する。この場合、携帯端末Ｐ1〜Ｐnは、保有する無線通信部への電源をオフ状態にすることによって自身の無線通信機能を停止する。かかる携帯端末Ｐ1〜Ｐnは、自身の入力部の操作によって無線通信機能を復帰することができる。
【００２６】
このようにして無線通信機能を停止した状態（無線停止状態）の携帯端末Ｐ1〜Ｐnは、電波を出力しないので、上述した無線禁止領域である領域Ｃ1〜Ｃn内に入れることができる。なお、この無線禁止領域とは、上述したように無線通信が禁止された領域であり、例えば医療機器を用いて医療行為を行う手術室等が挙げられる。領域Ｃ1〜Ｃn内に存在する携帯端末Ｐ1〜Ｐnが無線停止状態であることによって、医療機器への電波の干渉を防止でき、電波の干渉に起因する医療機器の誤動作を防止できる。
【００２７】
サーバ６は、上述した医療オーダおよび医療実施記録等の医療情報を保持し、一元的に集中管理するよう機能する。また、サーバ６は、病院情報システム１の各構成部の駆動を制御し、かつ有線ＬＡＮ９内での情報の送受信を制御する制御手段として機能する。具体的には、サーバ６は、記憶部７および制御部８を有する。記憶部７は、制御部８の制御に基づいて情報を記憶し、または制御部８に保存情報を送信する。この場合、記憶部７は、情報端末２によって入力された医療オーダおよび携帯端末Ｐ1〜Ｐnによって送信された医療実施記録等の医療管理情報７ａを記憶する。また、記憶部７は、携帯端末Ｐ1〜Ｐnのうちの無線停止状態の携帯端末を特定するＩＤ情報を端末管理情報７ｂとして記憶する。このＩＤ情報として、例えば携帯端末に特有なＩＤ情報が挙げられる。この場合、記憶部７は、例えば図２に示すように、無線停止状態の各携帯端末のＩＤ情報（ＩＤ１０１，ＩＤ１０２，…）を記憶する。
【００２８】
制御部８は、アクセスポイント３Ａ1〜３Ａn，３Ｂ1〜３Ｂn、報知器４Ａ1〜４Ａn，４Ｃ1〜４Ｃn、および記憶部７の駆動を制御し、かつ、入力された情報に対して所定の情報処理を行うとともに情報端末２、アクセスポイント３Ａ1〜３Ａn，３Ｂ1〜３Ｂn、および記憶部７に対する情報の入出力を制御する。この場合、情報端末２、アクセスポイント３Ａ1〜３Ａn，３Ｂ1〜３Ｂn、報知器４Ａ1〜４Ａn，４Ｃ1〜４Ｃn、および制御部８は上述した有線ＬＡＮ９を形成し、ケーブルを介して互いに接続される。かかる制御部８は、情報端末２によって入力された医療オーダおよび携帯端末Ｐ1〜Ｐnによって送信された医療実施記録を記憶部７に格納するとともに医療管理情報７ａとして管理する。また、制御部８は、携帯端末Ｐ1〜Ｐnに対して各種処理コマンドを送信し、送信した処理コマンドに基づく処理を携帯端末Ｐ1〜Ｐnに実行させる。
【００２９】
また、制御部８は、通信制御部８ａ、無線停止制御部８ｂ、報知制御部８ｃ、および端末検知部８ｄを有する。通信制御部８ａは、アクセスポイント３Ａ1〜３Ａn，３Ｂ1〜３Ｂnを介して携帯端末Ｐ1〜Ｐnとの間で行われる無線通信を制御するためのものである。具体的には、通信制御部８ａは、医療オーダの送信を要求する処理コマンド（オーダ送信要求）に基づいて、この要求元の携帯端末に医療オーダを送信する制御を行う。この場合、制御部８は、この医療オーダとこの要求元の携帯端末のＩＤ情報とを対応付けて記憶部７に格納するとともに、かかる医療オーダと要求元の携帯端末のＩＤ情報とを医療管理情報７ａの一部として管理する。その後、かかる送信済みの医療オーダが情報端末２によって変更された場合、通信制御部８ａは、この送信済みの医療オーダに対応付けた要求元の携帯端末を送信先に設定し、この設定した送信先の携帯端末に対して変更後の医療オーダを送信する制御を行う。かかる通信制御部８ａの制御によって、携帯端末Ｐ1〜Ｐnは、情報端末２による医療オーダの変更後、即座に、この変更後の医療オーダを受信でき、既に保持する医療オーダを最新のものに更新できる。
【００３０】
無線停止制御部８ｂは、上述した制限領域である領域Ｂ1〜Ｂn内に存在する携帯端末の無線通信機能を停止する制御を行うものである。具体的には、無線停止制御部８ｂは、端末検知部８ｄが領域Ｂ1〜Ｂn内に存在する携帯端末（例えば携帯端末Ｐ1〜Ｐnのいずれか）を検知した場合、この検知した携帯端末に対して無線通信機能の停止を要求する処理コマンド（無線停止要求）を送信する制御を行う。携帯端末Ｐ1〜Ｐnは、かかる無線停止要求を受信した場合、この受信した無線停止要求に基づいて、上述したように自身の無線通信機能を停止する。その後、制御部８は、かかる無線停止状態の携帯端末のＩＤ情報を記憶部７に格納し、端末管理情報７ｂとして管理する。
【００３１】
報知制御部８ｃは、無線停止状態の携帯端末に対して無線送信すべき情報がある場合に報知器４Ａ1〜４Ａn，４Ｃ1〜４Ｃnを駆動制御するためのものである。具体的には、報知制御部８ｃは、医療オーダの送信先の携帯端末が無線停止状態である場合、すなわち医療オーダの送信先の携帯端末のＩＤ情報が端末管理情報７ｂとして管理される無線停止状態の携帯端末のＩＤ情報と一致する場合、所定の光を出力する制御を報知器４Ａ1〜４Ａn，４Ｃ1〜４Ｃnに対して行う。この場合、報知器４Ａ1〜４Ａn，４Ｃ1〜４Ｃnは、かかる報知制御部８ｃの制御に基づいて所定の光を出力し、これによって、かかる送信先の携帯端末の無線通信の開始を促す旨を医療従事者に報知する。また、報知制御部８ｃは、かかる送信待ち情報が送信先の携帯端末に送信された場合、報知器４Ａ1〜４Ａn，４Ｃ1〜４Ｃnの駆動を停止する制御を行う。
【００３２】
端末検知部８ｄは、上述した制限領域である領域Ｂ1〜Ｂn内に存在する携帯端末を検知するためのものである。具体的には、端末検知部８ｄは、携帯端末のＩＤ情報を問い合わせる処理コマンド（問い合わせ要求）を常時または所定間隔で出力するようにアクセスポイント３Ｂ1〜３Ｂnを制御する。端末検知部８ｄは、アクセスポイント３Ｂ1〜３Ｂnを介して携帯端末のＩＤ情報を受信した場合、このＩＤ情報によって特定される携帯端末（例えば携帯端末Ｐ1〜Ｐnのいずれか）を領域３Ｂ1〜３Ｂn内に存在するものとして検知する。
【００３３】
つぎに、領域Ｂ1〜Ｂn内に存在する携帯端末の無線通信機能を停止する制御を行い、この無線機能を停止した携帯端末を無線停止状態の携帯端末として記憶するまでの制御部８の動作について説明する。図３は、領域Ｂ1〜Ｂn内に存在する携帯端末の無線通信機能を停止する処理手順の一例を説明するフローチャートである。図３において、まず、制御部８は、領域Ｂ1〜Ｂn内に携帯端末が存在するか否かを監視する（ステップＳ１０１）。この場合、端末検知部８ｄは、上述したように、常時または所定間隔で問い合わせ要求を領域Ｂ1〜Ｂn内に出力するようにアクセスポイント３Ｂ1〜３Ｂnを制御する。ここで、携帯端末Ｐ1〜Ｐnが領域Ｂ1〜Ｂn内のいずれにも存在しない場合、端末検知部８ｄは、携帯端末のＩＤ情報を受信せず、携帯端末を検知しない。この場合、制御部８は、領域Ｂ1〜Ｂnすなわち制限領域内に携帯端末は存在しないと判断し（ステップＳ１０１，Ｎｏ）、このステップＳ１０１を繰り返す。
【００３４】
一方、携帯端末Ｐ1〜Ｐnの少なくとも一つが領域Ｂ1〜Ｂn内のいずれかに存在する場合、端末検知部８ｄは、かかる領域Ｂ1〜Ｂn内の携帯端末からＩＤ情報を受信し、受信したＩＤ情報によって特定される携帯端末を制限領域内に存在するものとして検知する。この場合、制御部８は、制限領域内に携帯端末が存在すると判断し（ステップＳ１０１，Ｙｅｓ）、この制限領域内の携帯端末のＩＤ情報を取得する。
【００３５】
つぎに、制御部８は、このように取得したＩＤ情報によって特定される携帯端末すなわち制限領域内の携帯端末を送信先に設定し、設定した送信先の携帯端末に対して医療オーダを送信する（ステップＳ１０２）。この場合、通信制御部８ａは、この送信先の携帯端末に対して医療オーダを送信するようにアクセスポイント３Ｂ1〜３Ｂnを制御する。制御部８は、このように送信した医療オーダとその送信先の携帯端末のＩＤ情報とを対応付けて記憶部７に格納し、かかる医療オーダと送信先の携帯端末のＩＤ情報とを医療管理情報７ａの一部として管理する。
【００３６】
ここで、制御部８は、携帯端末Ｐ1〜Ｐnのそれぞれについて使用されるフロア、病棟、または医療従事者と携帯端末の各ＩＤ情報とを対応付けたデータテーブルを端末管理情報７ｂとして保持管理してもよい。この場合、制御部８は、かかるデータテーブルを参照し、制限領域内の携帯端末から取得したＩＤ情報をもとに、この制限領域内の携帯端末が使用されるフロア、病棟、または医療従事者を特定する。制御部８は、このように特定したフロア、病棟、または医療従事者をもとに、この制限領域内の携帯端末に送信すべき医療オーダを医療管理情報８ａの中から決定する。この場合、通信制御部８ａは、上述したステップＳ１０２において、このように制御部８が決定した医療オーダを送信先の携帯端末（すなわち制限領域内の携帯端末）に送信する制御を行う。
【００３７】
その後、制御部８によって送信された医療オーダは、アクセスポイント３Ｂ1〜３Ｂnを介して制限領域内の携帯端末に受信される。この制限領域内の携帯端末は、受信した医療オーダを自身の記憶部に保存し、または上書きする。これと同時に、この制限領域内の携帯端末は、医療オーダを受信したことを知らせる応答信号（オーダ受信応答）を出力する。かかるオーダ受信応答は、アクセスポイント３Ｂ1〜３Ｂnを介して制御部８に入力される。制御部８は、かかるオーダ受信応答を受信していなければ（ステップＳ１０３，Ｎｏ）、上述したステップＳ１０２以降の処理手順を繰り返す。すなわち、制御部８は、かかるオーダ受信応答を受信するまで、上述したステップＳ１０２の処理を繰り返し行う。
【００３８】
一方、制御部８は、この制限領域内の携帯端末からオーダ受信応答を受信した場合（ステップＳ１０３，Ｙｅｓ）、この制限領域内の携帯端末による医療オーダの受信処理が完了したと認識し、この制限領域内の携帯端末の無線通信機能を停止させる（ステップＳ１０４）。この場合、無線停止制御部８ｂは、上述したように、この制限領域内の携帯端末に対して無線停止要求を送信するようにアクセスポイント３Ｂ1〜３Ｂnを制御する。この無線停止要求は、アクセスポイント３Ｂ1〜３Ｂnを介して、この制限領域内の携帯端末に無線送信される。この制限領域内の携帯端末は、この無線停止制御部８ｂによる無線停止要求を受信した場合、かかる無線停止要求を受諾したことを制御部８に知らせる無線停止応答を出力し、その後、この無線停止要求に従って無線機能を停止する。このようにして、無線停止制御部８ｂは、制限領域内の携帯端末すなわち端末検知部８ｄによって検知された携帯端末の無線通信機能を停止させる。
【００３９】
また、かかる無線停止応答は、アクセスポイント３Ｂ1〜３Ｂnを介して制御部８に入力される。制御部８は、かかる無線停止応答を受信していなければ（ステップＳ１０５，Ｎｏ）、上述したステップＳ１０４以降の処理手順を繰り返す。すなわち、制御部８は、かかる無線停止応答を受信するまで、上述したステップＳ１０４の処理を繰り返し行う。
【００４０】
一方、制御部８は、この制限領域内の携帯端末から無線停止応答を受信した場合（ステップＳ１０５，Ｙｅｓ）、この制限領域内の携帯端末が無線通信機能を停止した状態になったことを認識し、かかる無線停止状態の携帯端末を記憶する（ステップＳ１０６）。この場合、制御部８は、上述したステップＳ１０１において取得したＩＤ情報、すなわち、ステップＳ１０４の処理によって無線停止状態になった制限領域内の携帯端末のＩＤ情報を記憶部７に格納し、かかるＩＤ情報を端末管理情報７ｂの一部として管理する。これによって、制御部８は、無線停止状態の携帯端末を記憶することができる。その後、制御部８は、上述したステップＳ１０１以降の処理手順を繰り返す。
【００４１】
つぎに、無線停止状態の携帯端末（例えば携帯端末Ｐ1〜Ｐnのいずれか）に無線送信すべき送信待ち情報が発生した場合に、かかる携帯端末の無線通信の開始を促す旨を医療従事者に報知するまでの制御部８の動作について説明する。図４は、携帯端末の無線通信の開始を促す旨を医療従事者に報知する処理手順の一例を説明するフローチャートである。図４において、まず、制御部８は、情報端末２によって変更された医療オーダを受信する（ステップＳ２０１）。この場合、制御部８は、変更前の医療オーダに対応付けた携帯端末のＩＤ情報をこの変更後の医療オーダに対応付けて記憶部７に上書きし、かかる変更後の医療オーダを医療管理情報７ａの一部として管理する。
【００４２】
その後、制御部８は、このように医療オーダを更新した場合、かかる変更後の医療オーダを無線送信する送信先の携帯端末を確認する（ステップＳ２０２）。この場合、制御部８は、かかる変更後の医療オーダに対応するＩＤ情報を抽出し、抽出したＩＤ情報によって特定される携帯端末を送信先の携帯端末に設定する。これによって、制御部８は、この送信先の携帯端末が例えば携帯端末Ｐ1〜Ｐnのいずれであるかを確認できる。
【００４３】
つぎに、制御部８は、この送信先の携帯端末が無線停止状態のものであるか否かを判断する（ステップＳ２０３）。この場合、制御部８は、端末管理情報７ｂを参照し、図２に例示したように保持管理する無線停止状態の携帯端末のＩＤ情報とこの送信先の携帯端末のＩＤ情報とを照合する。制御部８は、かかる無線停止状態の携帯端末のＩＤ情報と送信先の携帯端末のＩＤ情報とが一致する場合、この送信先の携帯端末が無線停止状態であると判断し（ステップＳ２０３，Ｙｅｓ）、報知器４Ａ1〜４Ａn，４Ｃ1〜４Ｃnの駆動を開始する（ステップＳ２０４）。この場合、報知制御部８ｃは、所定の光を出力するように報知器４Ａ1〜４Ａn，４Ｃ1〜４Ｃnの駆動を制御する。かかる報知器４Ａ1〜４Ａn，４Ｃ1〜４Ｃnは、報知制御部８ｃの制御に基づいて所定の光を出力することによって、上述した無線停止状態である送信先の携帯端末を携帯する医療従事者に対し、かかる携帯端末の無線通信の開始を促す旨を報知することができる。
【００４４】
さらに、制御部８は、かかる送信先の携帯端末が無線停止状態である旨を情報端末２に通知する（ステップＳ２０５）。この場合、情報端末２は、制御部８によって通知された内容を表示出力し、情報端末２を操作する医療従事者、例えば医療オーダを変更した医療従事者に対して、かかる送信先の携帯端末が無線停止状態である旨を知らせる。医療従事者は、かかる通知内容を確認することによって、変更後の医療オーダが携帯端末に無線送信されていないこと、すなわち携帯端末を携帯する医療従事者に変更後の医療オーダが伝わっていないことを把握できる。
【００４５】
ここで、この無線停止状態である送信先の携帯端末を携帯する医療従事者は、報知器４Ａ1〜４Ａn，４Ｃ1〜４Ｃnのいずれかの出力光を確認することによって、かかる携帯端末の無線通信の開始を促す旨を把握する。この場合、医療従事者は、携帯する携帯端末の入力部を操作して無線通信機能を復帰させ、上述した変更後の医療オーダを受信するように携帯端末を操作する。かかる無線通信機能を復帰した携帯端末は、変更後の医療オーダの送信を要求するオーダ送信要求を制御部８に無線送信する。
【００４６】
制御部８は、かかる変更後の医療オーダの送信を要求するオーダ送信要求を受信したか否かを監視し（ステップＳ２０６）、このオーダ送信要求を受信していなければ（ステップＳ２０６，Ｎｏ）、このステップＳ２０６の処理を繰り返す。一方、制御部８は、このオーダ送信要求を受信した場合（ステップＳ２０６，Ｙｅｓ）、この受信したオーダ送信要求に指定されたＩＤ情報を取得し、取得したＩＤ情報をもとに、このＩＤ情報によって特定される携帯端末すなわち上述した送信先の携帯端末が無線通信機能を復帰したことを認識する（ステップＳ２０７）。この場合、制御部８は、図２に例示したように無線停止状態の携帯端末のＩＤ情報として保持管理するＩＤ情報のうち、かかるオーダ送信要求に指定されたＩＤ情報すなわち無線通信機能を復帰した携帯端末のＩＤ情報を削除する。
【００４７】
つぎに、制御部８は、上述したステップＳ２０４の処理によって所定の光を出力している報知器４Ａ1〜４Ａn，４Ｃ1〜４Ｃnの駆動を停止する（ステップＳ２０８）。この場合、報知制御部８ｃは、報知器４Ａ1〜４Ａn，４Ｃ1〜４Ｃnの駆動を停止する制御を行い、上述した無線通信の開始を促す旨を報知していた所定の光の出力を停止させる。さらに、制御部８は、かかる送信待ち情報である変更後の医療オーダを上述した送信先の携帯端末に送信する（ステップＳ２０９）。この場合、通信制御部８ａは、図２に例示したように無線停止状態の携帯端末のものとして保持管理するＩＤ情報の中に、かかる送信先の携帯端末の特定情報が含まれていないことを確認し、この変更後の医療オーダをこの送信先の携帯端末に無線送信する制御を行う。かかる変更後の医療オーダは、アクセスポイント３Ａ1〜３Ａn，３Ｂ1〜３Ｂnのいずれかを介して、この送信先の携帯端末に受信される。この送信先の携帯端末は、このように受信した変更後の医療オーダを自身の記憶部に上書きする。
【００４８】
その後、制御部８は、上述した送信先の携帯端末に対して変更後の医療オーダを送信完了した旨を情報端末２に通知する（ステップＳ２１０）。この場合、情報端末２は、制御部８によって通知された内容（すなわち送信完了した旨）を表示出力し、情報端末２を操作する医療従事者、例えば医療オーダを変更した医療従事者に対して、変更後の医療オーダが携帯端末に無線送信された旨を知らせる。これによって、医療従事者は、情報端末２を操作して変更した医療オーダが医療従事者の携帯端末に無線送信されたことを把握できる。
【００４９】
なお、上述したステップＳ２０３において、制御部８は、図２に例示したように保持管理する無線停止状態の携帯端末のＩＤ情報の中に送信先の携帯端末のＩＤ情報が存在しない場合、上述したステップＳ２０９以降の処理手順を行い、この送信先の携帯端末に対して変更後の医療オーダを送信し、かかる変更後の医療オーダを送信完了した旨を情報端末２に通知する。
【００５０】
つぎに、携帯端末Ｐ1を携帯した医療従事者が無線禁止領域である手術室に入って医療行為を行う場合を例示して、上述した制御部８の動作をより具体的に説明する。図５は、制限領域を経由して無線許可領域と無線禁止領域との間を移動する携帯端末に作用する制御部８の動作について説明するための模式図である。図５に示すように、手術室Ｒは、無線禁止領域である領域Ｃ1を形成し、その内部に報知器４Ｃ1が設置される。手術室Ｒの出入り口の外側近傍には、アクセスポイント３Ｂ1が設置され、このアクセスポイント３Ｂ1による無線通信が可能な領域には、上述した制限領域である領域Ｂ1が形成される。この場合、アクセスポイント３Ｂ1および報知器４Ｃ1は、互いに近傍に位置する。また、かかる手術室Ｒおよび領域Ｂ1の外側には、アクセスポイント３Ａ1が設置される。このアクセスポイント３Ａ1による無線通信が可能な領域には、上述した無線許可領域である領域Ａ1が形成される。この場合、領域Ａ1と領域Ｃ1との間には領域Ｂ1が介在する。すなわち、医療従事者は、手術室Ｒに出入りする場合、すなわち領域Ａ1と領域Ｃ1との間を移動する場合、領域Ｂ1内を必ず通過する。また、領域Ａ1内には、報知器４Ａ1が設置される。かかる報知器４Ａ1およびアクセスポイント３Ａ1は、互いに近傍に位置する。
【００５１】
まず、医療従事者は、手術室Ｒ内で医療行為を実施するために、携帯端末Ｐ1を携帯して領域Ａ1から領域Ｂ1に移動する。この場合、医療従事者は、携帯端末Ｐ1内に最新の医療オーダを格納するために、通常、携帯端末Ｐ1の電源をオン状態にしている。このように電源がオン状態の携帯端末Ｐ1は、情報端末２によって医療オーダが変更された場合、即座に、この変更後の医療オーダを受信できる。
【００５２】
かかる携帯端末Ｐ1が医療従事者に携帯されて領域Ｂ1内に移動した場合、制御部８は、この領域Ｂ1内に存在する携帯端末Ｐ1を検知し、検知した携帯端末Ｐ1に対して医療オーダを送信する（ステップＳ１０１，Ｓ１０２）。この場合、この領域Ｂ1内の携帯端末Ｐ1は、アクセスポイント３Ｂ1との無線通信によって、制御部８から医療オーダを受信し、自身の記憶部に格納する。その後、制御部８は、このように医療オーダを格納した携帯端末Ｐ1の無線機能を停止させ、この携帯端末Ｐ1のＩＤ情報を無線停止状態の携帯端末のものとして記憶部７に格納し、管理する（ステップＳ１０３〜Ｓ１０６）。
【００５３】
医療従事者は、このように医療オーダを格納して無線停止状態になった携帯端末Ｐ1を携帯して、手術室Ｒすなわち領域Ｃ1内に移動する。この場合、医療従事者は、電源がオン状態の携帯端末Ｐ1を携帯して領域Ｂ1内に移動すれば、特に携帯端末Ｐ1を操作することなく、サーバ６から必要な医療オーダを携帯端末Ｐ1に受信でき、かつ領域Ｃ1内に移動する前に携帯端末Ｐ1の無線通信機能を停止できる。その後、医療従事者は、このようにサーバ６から受信した医療オーダを携帯端末Ｐ1の表示部に出力させ、この医療オーダによって指示される医療行為の実施内容を確認する。なお、医療従事者は、かかる医療オーダに変更がなければ、かかる医療オーダに従って医療行為を適切に行うことができる。
【００５４】
ここで、この医療オーダが情報端末２によって変更された場合、制御部８は、この変更後の医療オーダを受信し、この変更後の医療オーダを無線送信すべき送信先の携帯端末がこの携帯端末Ｐ1であることを確認する（ステップＳ２０１，Ｓ２０２）。さらに、制御部８は、この携帯端末Ｐ1が無線停止状態の携帯端末であると判断し、報知器４Ａ1〜４Ａn，４Ｃ1〜４Ｃnの駆動を開始し、この携帯端末Ｐ1が無線停止状態である旨を情報端末２に通知する（ステップＳ２０３〜Ｓ２０５）。この場合、例えば報知器４Ａ1，４Ｃ1は、医療オーダが変更された後、かかる制御部８の制御に基づいて所定の光を出力し、携帯端末Ｐ1の無線通信の開始を促す旨を即座に報知する。手術室Ｒ内の医療従事者は、かかる報知器によって出力される光を確認することによって、携帯端末Ｐ1の無線通信の開始を促す旨を即座に把握する。すなわち、この医療従事者は、サーバ６から携帯端末Ｐ1に無線送信すべき送信待ち情報が発生したので、かかる送信待ち情報を携帯端末Ｐ1に取り込むために、携帯端末Ｐ1の無線通信を即座に開始すべきである旨を理解する。
【００５５】
医療従事者は、このように携帯端末Ｐ1の無線通信の開始を促す旨を把握した場合、この送信待ち情報すなわち変更後の医療オーダを受信するために、手術室Ｒから領域Ｂ1内を通過して領域Ａ1に移動する。そして、医療従事者は、この無線停止状態の携帯端末Ｐ1を操作して無線通信機能を復帰させ、かかる無線通信機能を復帰した携帯端末Ｐ1を操作してオーダ送信要求を無線送信する。この場合、制御部８は、アクセスポイント３Ａ1を介して、この携帯端末Ｐ1によるオーダ送信要求を受信し、この携帯端末Ｐ1の無線通信機能が復帰したことを認識するとともに報知器４Ａ1〜４Ａn，４Ｃ1〜４Ｃnの駆動を停止し、その後、送信待ち情報である変更後の医療オーダを携帯端末Ｐ1に送信する（ステップＳ２０６〜Ｓ２０９）。このように制御部８によって送信された変更後の医療オーダは、アクセスポイント３Ａ1を介して携帯端末Ｐ1に受信される。これによって、携帯端末Ｐ1は、この変更後の医療オーダを自身の記憶部に格納（上書き）できる。なお、医療従事者は、報知器４Ａ1，４Ｃ1の駆動が停止したこと確認すれば、携帯端末Ｐ1に対する送信待ち情報がないことを把握できる。
【００５６】
その後、医療従事者は、このように変更後の医療オーダを格納した携帯端末Ｐ1を携帯して手術室Ｒに戻る。この場合、医療従事者は、領域Ｂ1内を通過して手術室Ｒ内に移動するので、この医療従事者に携帯される携帯端末Ｐ1は、上述した制御部８の動作によって無線通信機能を停止する。そして、医療従事者は、このようにサーバ６から受信した変更後の医療オーダを携帯端末Ｐ1の表示部に出力させ、この変更後の医療オーダによって指示される医療行為の実施内容を確認する。医療従事者は、かかる変更後の医療オーダに従って医療行為を適切に行うことができる。その後、医療従事者は、実施した医療行為の実施内容を携帯端末Ｐ1に入力する。この場合、携帯端末Ｐ1は、このように入力された医療行為の実施内容を医療実施記録として格納する。
【００５７】
医療オーダによって指定された医療行為を終了した医療従事者は、携帯端末Ｐ1に入力した医療実施記録をサーバ６に送信するために、手術室Ｒから領域Ａ1に移動する。そして、医療従事者は、無線停止状態の携帯端末Ｐ1を操作して無線通信機能を復帰させ、かかる無線通信機能を復帰した携帯端末Ｐ1を操作して医療実施記録を無線送信する。この場合、制御部８は、アクセスポイント３Ａ1を介して、この携帯端末Ｐ1からの医療実施記録を受信し、受信した医療実施記録を記憶部７に格納し、かかる医療実施記録を医療管理情報７ａの一部として管理する。
【００５８】
一方、携帯端末Ｐ1は、領域Ｂ1内で無線通信機能を復帰した場合であっても、アクセスポイント３Ｂ1を介して上述した変更後の医療オーダを受信できる。すなわち、医療従事者が領域Ｂ1内で携帯端末Ｐ1の無線通信機能を復帰する操作を行った場合、この無線通信機能を復帰した携帯端末Ｐ1は、アクセスポイント３Ｂ1との間で無線通信を行う。この場合、制御部８は、上述したステップＳ２０６，Ｓ２０７に代えてステップＳ１０１〜Ｓ１０６の処理を行い、この領域Ｂ1内の携帯端末Ｐ1に対して送信待ち情報である変更後の医療オーダを無線送信し、かつ、かかる変更後の医療オーダを受信した携帯端末Ｐ1の無線通信機能を停止する。つぎに、制御部８は、上述したステップＳ２０８と同様に報知器の駆動を停止し、その後、上述したステップＳ２１０と同様に変更後の医療オーダを送信完了した旨を情報端末２に通知する。かかる制御部８の動作によって、携帯端末Ｐ1を携帯する医療従事者は、例えば領域Ｂ1内すなわち制限領域内で携帯端末Ｐ1の無線通信機能を復帰する操作を行えば、他の操作を行わなくとも、上述した変更後の医療オーダを携帯端末Ｐ1に受信でき、さらに、この携帯端末Ｐ1の無線通信機能を停止できる。
【００５９】
なお、制御部８は、他の携帯端末Ｐ2〜Ｐnについても、上述した携帯端末Ｐ1の場合と同様に動作する。また、制御部８は、携帯端末Ｐ1〜Ｐnのうちの複数の携帯端末が制限領域内（領域Ｂ1〜Ｂnのいずれか）に存在する場合、かかる複数の携帯端末のそれぞれについても上述した携帯端末Ｐ1の場合と同様に動作する。
【００６０】
また、情報端末２および携帯端末Ｐ1〜ＰnにＶｏＩＰによる通話機能を追加した場合、制御部８は、かかる情報端末２と携帯端末Ｐ1〜Ｐnとの間のＶｏＩＰ通話を制御する。具体的には、制御部８は、情報端末２または携帯端末Ｐ1〜Ｐnのいずれかによって指定されたグローバルＩＰアドレスまたはプライベートＩＰアドレスを接続先に設定し、情報端末２と携帯端末Ｐ1〜ＰnのいずれかとのＶｏＩＰ通話または携帯端末Ｐ1〜Ｐn間でのＶｏＩＰ通話を制御する。この場合、制御部８は、上述したＩＤ情報の場合と同様に、かかるグローバルＩＰアドレスまたはプライベートＩＰアドレスを端末管理情報７ｂの一部として保持管理し、無線停止状態の携帯端末がＶｏＩＰ通話の接続先に指定された場合に報知器４Ａ1〜４Ａn，４Ｃ1〜４Ｃnの駆動を開始してもよい。かかる制御部８の制御によって、報知器４Ａ1〜４Ａn，４Ｃ1〜４Ｃnは、ＶｏＩＰ通話の接続先が無線停止状態の携帯端末である場合、即座に、この接続先の携帯端末の無線通信（ＶｏＩＰ通話）の開始を促す旨を医療従事者に報知できる。
【００６１】
このことは、情報端末２および携帯端末Ｐ1〜Ｐnが、ＶｏＩＰによる通話機能に代えて電子メール機能を備えた場合も同様である。この場合、制御部８は、上述したグローバルＩＰアドレスまたはプライベートＩＰアドレスに代えて電子メールアドレスを端末管理情報７ｂの一部として保持管理し、無線停止状態の携帯端末が電子メールの送信先に指定された場合に報知器４Ａ1〜４Ａn，４Ｃ1〜４Ｃnの駆動を開始すればよい。
【００６２】
以上、説明したように、この発明の実施の形態１では、ケーブルを介して接続した報知器を備え、無線通信機能を有する携帯端末に対して情報を無線送信する際に、この送信先の携帯端末が無線通信機能を停止した無線停止状態であるか否かを判断し、無線停止状態であると判断した場合、ケーブルを介して、この報知器の駆動を開始するように構成している。したがって、かかる無線停止状態の携帯端末に対して無線送信すべき情報が発生した場合、即座に、かかる報知器の駆動によって、この無線停止状態の携帯端末の無線通信の開始を促す旨を報知でき、この無線送信すべき情報を携帯端末に早期に取り込むことを促すことができる医療情報システムを実現することができる。
【００６３】
この発明にかかる医療情報システムによれば、医療従事者の携帯端末に対して既に無線送信した例えば医療オーダを変更した場合、この携帯端末が無線停止状態であれば、この医療従事者に対し、この携帯端末の無線通信機能を復帰して変更後の医療オーダを早期に受信するよう促すことができる。この医療従事者は、例えば手術室等の無線禁止領域内に入った場合であっても、かかる医療オーダの変更後、即座に、この携帯端末に取り込むべき変更後の医療オーダが発生した旨を把握でき、医療行為を実施する前に、最新の医療オーダを携帯端末に格納できる。これによって、医療従事者は、最新の医療オーダに従って適切な医療行為を実施できる。このように、かかる医療情報システムは、医療従事者による医療過誤を防止することができる。
【００６４】
また、この発明の実施の形態１では、例えば手術室等の無線禁止領域内に移動する直前の携帯端末を検知し、かかる携帯端末の無線通信機能を停止するように構成した。このため、医療従事者が携帯端末を操作しなくとも、無線禁止領域内に移動する携帯端末の無線通信機能を停止でき、かかる携帯端末の無線通信機能を停止する操作の煩わしさを解消することができる。
【００６５】
さらに、このように携帯端末の無線通信機能を停止する前に、かかる携帯端末に対して最新の医療オーダを無線送信するように構成した。したがって、医療従事者が携帯端末を操作して医療オーダの送信を要求しなくとも、無線禁止領域内に移動する前に携帯端末に対して最新の医療オーダを無線送信することができ、携帯端末に医療オーダを取り込む操作の煩わしさを解消するとともに、無線禁止領域内での医療過誤の防止を促進できる。
【００６６】
（実施の形態２）
つぎに、この発明の実施の形態２について説明する。この発明の実施の形態２にかかる病院情報システムは、携帯端末Ｐ1〜Ｐnが無線通信機能を停止する直前に無線通信を行った最後のアクセスポイントを特定するようにし、かかる最後のアクセスポイントの近傍に位置する報知器の駆動を開始して、無線停止状態の携帯端末の無線通信の開始を促す旨を報知している。
【００６７】
図６は、この発明の実施の形態２である病院情報システムの一構成例を模式的に示す模式図である。図６に示すように、この病院情報システム２０は、上述した実施の形態１の病院情報システム１のサーバ６に代えてサーバ２１を有する。サーバ２１は、上述したサーバ６の制御部８に代えて制御部２３を有する。制御部２３は、上述した制御部８の報知制御部８ｃに代えて報知制御部２３ｃを有し、端末検知部８ｄに代えて端末検知部２３ｄを有する。また、記憶部７は、上述した端末管理情報７ｂに代えて端末管理情報２２ｂを格納する。その他の構成は実施の形態１と同じであり、同一構成部分には同一符号を付している。
【００６８】
サーバ２１は、上述した病院情報システム１のサーバ６とほぼ同様に、医療情報を保持し、一元的に集中管理するよう機能する。また、サーバ２１は、病院情報システム２０の各構成部の駆動を制御し、かつ有線ＬＡＮ９内での情報の送受信を制御する制御手段として機能する。
【００６９】
制御部２３は、上述した病院情報システム１の制御部８と同様の機能を有し、さらに、各携帯端末Ｐ1〜Ｐnが無線通信機能を停止する直前に無線通信した最後のアクセスポイント（例えばアクセスポイント３Ｂ1〜３Ｂnのいずれか）を携帯端末毎に特定する機能と、上述した携帯端末の無線通信の開始を促す旨を医療従事者に報知する場合に、この特定したアクセスポイントの近傍に位置する報知器（例えば報知器４Ｃ1〜４Ｃnのいずれか）の駆動を開始する機能とを有する。
【００７０】
端末検知部２３ｄは、上述した病院情報システム１の端末検知部８ｄと同様に、制限領域である領域Ｂ1〜Ｂn内に存在する携帯端末（例えば携帯端末Ｐ1〜Ｐnのいずれか）を検知するよう機能する。また、端末検知部２３ｄは、かかる領域Ｂ1〜Ｂn内に存在する携帯端末を検知する場合、この携帯端末に対して無線通信を行ったアクセスポイントを携帯端末毎に特定するよう機能する。具体的には、端末検知部２３ｄは、アクセスポイント３Ｂ1〜３Ｂnを介して携帯端末のＩＤ情報を受信した場合、このＩＤ情報によって特定される携帯端末（例えば携帯端末Ｐ1〜Ｐnのいずれか）を領域３Ｂ1〜３Ｂn内に存在するものとして検知する。これと同時に、端末検知部２３ｄは、アクセスポイント３Ｂ1〜３Ｂnの中から、この携帯端末と無線通信を行ってＩＤ情報を受信したアクセスポイントを特定する。なお、端末検知部２３ｄは、携帯端末Ｐ1〜Ｐnのうちの複数が領域３Ｂ1〜３Ｂn内に存在する場合、かかる携帯端末の検知処理およびアクセスポイントの特定処理をこれら複数の携帯端末のそれぞれについて行う。
【００７１】
端末検知部２３ｄが領域Ｂ1〜Ｂn内の携帯端末を検知した場合、制御部２３は、上述したステップＳ１０２〜Ｓ１０４の処理を順次行って、この検知された携帯端末に医療オーダを送信し、その後、この携帯端末の無線通信機能を停止する。したがって、端末検知部２３ｄが上述したように特定したアクセスポイント（例えばアクセスポイント３Ｂ1〜３Ｂnのいずれか）は、この携帯端末が無線通信機能を停止する直前に無線通信を行った最後のアクセスポイントになる。この場合、制御部２３は、上述したステップＳ１０６において、端末検知部２３ｄによって特定されたアクセスポイントをこの無線停止状態の携帯端末が無線通信を行った最後のアクセスポイントとして特定する。これと同時に、制御部２３は、図７に例示するように、かかる最後のアクセスポイントとこの無線停止状態の携帯端末のＩＤ情報とを対応付けて記憶部７に格納し、端末管理情報２２ｂの一部として管理する。
【００７２】
一方、報知制御部２３ｃは、送信待ち情報が発生した場合に、この送信待ち情報の送信先である無線停止状態の携帯端末が最後に無線通信を行ったアクセスポイント（最後のアクセスポイント）の近傍に位置する報知器を駆動制御するよう機能する。具体的には、報知制御部２３ｃは、医療オーダの送信先の携帯端末が無線停止状態である場合、すなわち医療オーダの送信先の携帯端末のＩＤ情報が端末管理情報２２ｂとして管理される無線停止状態の携帯端末のＩＤ情報と一致する場合、この無線停止状態である送信先の携帯端末の最後のアクセスポイントの近傍に位置する報知器（例えば報知器４Ａ1〜４Ａn，４Ｃ1〜４Ｃnのいずれか）に対して駆動制御を行う。より具体的には、報知制御部２３ｃは、図７に例示する端末管理情報２２ｂを参照し、無線停止状態である送信先の携帯端末のＩＤ情報（例えばＩＤ１０１，ＩＤ１０２，…）に対応する最後のアクセスポイントを確認し、かかる最後のアクセスポイントの近傍に位置する報知器に対して、所定の光を出力する制御を行う。また、報知制御部２３ｃは、かかる送信待ち情報が送信先の携帯端末に送信された場合、報知器４Ａ1〜４Ａn，４Ｃ1〜４Ｃnの駆動を停止する制御を行う。
【００７３】
つぎに、図６を参照して、上述した制御部２３の動作を具体的に説明する。例えば、携帯端末Ｐ1を携帯した医療従事者が領域Ａ1から領域Ｃ1に移動する場合、携帯端末Ｐ1は、領域Ｂ1内を必ず通過する。この場合、端末検知部２３ｄは、アクセスポイント３Ｂ1を介して領域Ｂ1内の携帯端末Ｐ1のＩＤ情報を受信し、この携帯端末Ｐ1を領域Ｂ1内のものとして検知するとともに、このアクセスポイント３Ｂ1を携帯端末Ｐ1と無線通信を行ってＩＤ情報を受信したアクセスポイントとして特定する。その後、制御部２３は、かかる領域Ｂ1内の携帯端末Ｐ1に対して医療オーダを送信するとともに、この携帯端末Ｐ1の無線通信機能を停止する。そして、制御部２３は、このアクセスポイント３Ｂ1を携帯端末Ｐ1の最後のアクセスポイントとして特定するとともに、この携帯端末Ｐ1のＩＤ情報と最後のアクセスポイントであるアクセスポイント３Ｂ1とを対応付けて記憶部７に格納し、端末管理情報２２ｂの一部として管理する。
【００７４】
ここで、携帯端末Ｐ1に送信した医療オーダが情報端末２によって変更された場合、制御部２３は、この変更後の医療オーダの送信先が携帯端末Ｐ1であることを確認する。つぎに、制御部２３は、図７に例示される端末管理情報２２ｂを参照し、携帯端末Ｐ1のＩＤ情報をもとに、送信先である携帯端末Ｐ1が無線停止状態であると判断するとともに、かかる携帯端末Ｐ1の最後のアクセスポイントがアクセスポイント３Ｂ1であると判断する。そして、制御部２３は、かかる携帯端末Ｐ1を携帯する医療従事者に対して無線通信の開始を促す旨を報知するよう報知器の駆動を開始し、かつ送信先の携帯端末Ｐ1が無線停止状態である旨を情報端末２に通知する。
【００７５】
この場合、報知制御部２３ｃは、かかる携帯端末Ｐ1の最後のアクセスポイント３Ｂ1の近傍に位置する報知器４Ａ1，４Ｃ1の駆動を制御し、残りの報知器４Ａ2〜４Ａn，４Ｃ2〜４Ｃnの駆動を停止した状態にする。かかる報知制御部２３ｃの制御によって、報知器４Ａ1，４Ｃ1は、この医療オーダが変更された後、即座に所定の光を出力し、かかる携帯端末Ｐ1を携帯する医療従事者に対して携帯端末Ｐ1の無線通信の開始を促す旨を即座に報知する。この携帯端末Ｐ1を携帯する医療従事者は、かかる報知器４Ａ1，４Ｃ1の出力光を確認することによって、携帯端末Ｐ1の無線通信の開始を促す旨を即座に把握する。すなわち、この医療従事者は、サーバ２１から携帯端末Ｐ1に無線送信すべき送信待ち情報が発生したので、かかる送信待ち情報を携帯端末Ｐ1に取り込むために、携帯端末Ｐ1の無線通信を即座に開始すべきである旨を理解する。
【００７６】
一方、残りの報知器４Ａ2〜４Ａn，４Ｃ2〜４Ｃnは、報知制御部２３ｃの制御に基づいて駆動を停止しているので、上述した携帯端末Ｐ1の無線通信の開始を促す旨の報知を必要としない他の医療従事者、例えば領域Ａ2〜Ａn，領域Ｂ2〜Ｂn，または領域Ｃ2〜Ｃnのように領域Ａ1，Ｂ1，Ｃ1と異なるフロアまたは病棟に存在する医療従事者に対して、上述した携帯端末Ｐ1の無線通信の開始を促す旨を無駄に報知しない。
【００７７】
その後、この無線停止状態の携帯端末Ｐ1を携帯した医療従事者は、送信待ち情報すなわち変更後の医療オーダを受信するために、例えば領域Ｂ1または領域Ａ1に移動し、携帯端末Ｐ1を操作して無線通信機能を復帰させる。このように無線通信機能を復帰した携帯端末Ｐ1は、上述した実施の形態１の場合と同様に、送信待ち情報である変更後の医療オーダを取得できる。この場合、制御部２３は、上述したステップＳ２０６〜Ｓ２１０の処理を行い、また、上述したステップＳ１０１〜Ｓ１０６の処理を必要に応じて行う。この場合、医療従事者は、報知器４Ａ1，４Ｃ1の駆動が停止したこと確認すれば、携帯端末Ｐ1に対する送信待ち情報がないことを把握できる。また、医療従事者は、このように携帯端末Ｐ1に受信した最新の医療オーダを確認することによって、医療行為を適切に行うことができる。
【００７８】
なお、制御部２３は、他の携帯端末Ｐ2〜Ｐnについても、上述した携帯端末Ｐ1の場合と同様に動作する。また、制御部２３は、携帯端末Ｐ1〜Ｐnのうちの複数の携帯端末が制限領域内（領域Ｂ1〜Ｂnのいずれか）に存在する場合、かかる複数の携帯端末のそれぞれについても上述した携帯端末Ｐ1の場合と同様に動作する。
【００７９】
以上、説明したように、この発明の実施の形態２では、上述した実施の形態１の機能および構成を有し、さらに、無線停止状態の携帯端末が最後に無線通信を行ったアクセスポイントを特定し、かかる無線停止状態の携帯端末に無線送信すべき情報が発生した場合、即座に、この特定した最後のアクセスポイントの近傍に位置する報知器の駆動を開始するように構成した。したがって、上述した実施の形態１の作用効果を享受するとともに、無線停止状態の携帯端末を携帯する医療従事者に対して無線通信の開始を促す旨を報知することを阻害せずに、かかる無線通信の開始を促す旨の報知を必要としない他の医療従事者に対して無駄に報知することを抑制できる病院情報システムを実現できる。
【００８０】
なお、この発明の実施の形態１，２では、回転灯または信号灯等の灯器を報知器として用い、所定の光を出力することによって携帯端末の無線通信の開始を促す旨を報知していたが、この発明はこれに限定されるものではなく、アラームまたはサイレン等を報知器として用い、かかる携帯端末の無線通信の開始を促す旨を音によって報知してもよいし、ＬＣＤまたは有機ＥＬディスプレイ等の表示手段を報知器として用い、かかる携帯端末の無線通信の開始を促す旨を示すメッセージ等を表示することによって報知してもよい。
【００８１】
また、この発明の実施の形態１，２では、無線許可領域である領域Ａ1〜Ａnおよび制限領域である領域Ｂ1〜Ｂnのそれぞれに無線ＬＡＮのアクセスポイント３Ａ1〜３Ａn，３Ｂ1〜３Ｂnを１つずつ配置していたが、この発明はこれに限定されるものではなく、かかる無線許可領域および制限領域には、それぞれ１以上の無線ＬＡＮのアクセスポイントを配置すればよく、無線許可領域または制限領域の大きさに応じて複数の無線ＬＡＮのアクセスポイントをそれぞれ配置してもよい。
【００８２】
さらに、この発明の実施の形態１，２では、制限領域内に存在する携帯端末を常時または所定間隔で検知し、検知した携帯端末に対して医療オーダを送信し、その後、この携帯端末の無線通信機能を停止していたが、この発明はこれに限定されるものではなく、無線許可領域に存在する携帯端末のオーダ送信要求に対応して医療オーダを送信するようにし、制限領域内に存在する携帯端末を検知した場合、医療オーダを送信せずに、この検知した携帯端末の無線通信機能を停止してもよい。この場合、制御部８，２３は、上述したステップＳ１０１の処理を行い、その後、ステップＳ１０２，Ｓ１０３を行わずに、ステップＳ１０４以降の処理を行えばよい。
【００８３】
また、制限領域内に携帯端末が存在するか否かを常時または所定間隔で監視しなくてもよい。すなわち、制限領域内に存在する携帯端末からのオーダ送信要求を受信した場合、かかるオーダ送信要求を制限領域のアクセスポイントを介して受信したことに基づいて、この携帯端末が制限領域内に存在すると判断し、かかる制限領域内の携帯端末に対して医療オーダを送信し、その後、この携帯端末の無線通信機能を停止してもよい。この場合、制御部８，２３は、上述したステップＳ１０１に代えて、制限領域内に存在する携帯端末からのオーダ送信要求を受信したか否かを判断し、受信したと判断した場合に、ステップＳ１０２以降の処理を行えばよい。
【００８４】
さらに、この発明の実施の形態１，２では、医療従事者が携帯する携帯端末として無線通信機能を有するＰＤＡを例示したが、この発明はこれに限定されるものではなく、かかる携帯端末は、無線ＬＡＮによる無線通信機能を有する携帯型情報端末であればよく、例えば、無線ＬＡＮによる無線通信機能を有する携帯電話機またはノート型ＰＣ等であってもよい。
【００８５】
また、この発明の実施の形態１，２では、無線停止状態の携帯端末を特定する特定情報としてＩＤ情報を用いていたが、この発明はこれに限定されるものではなく、携帯端末のグローバルＩＰアドレス、プライベートＩＰアドレス、または電子メールアドレス等をこのような特定情報として用いてもよい。
【図面の簡単な説明】
【００８６】
【図１】この発明の実施の形態１である病院情報システムの一構成例を模式的に示すブロック図である。
【図２】端末管理情報の一例を模式的に示す模式図である。
【図３】制限領域内に存在する携帯端末の無線通信機能を停止する処理手順の一例を説明するフローチャートである。
【図４】携帯端末の無線通信の開始を促す旨を医療従事者に報知する処理手順の一例を説明するフローチャートである。
【図５】制限領域を経由して無線許可領域と無線禁止領域との間を移動する携帯端末に作用する制御部の動作について説明するための模式図である。
【図６】この発明の実施の形態２である病院情報システムの一構成例を模式的に示す模式図である。
【図７】端末管理情報の別の一例を模式的に示す模式図である。
【符号の説明】
【００８７】
１，２０  病院情報システム
２  情報端末
３Ａ1〜３Ａn，３Ｂ1〜３Ｂn  アクセスポイント
４Ａ1〜４Ａn，４Ｃ1〜４Ｃn  報知器
６，２１  サーバ
７  記憶部
７ａ  医療管理情報
７ｂ，２２ｂ  端末管理情報
８，２３  制御部
８ａ  通信制御部
８ｂ  無線停止制御部
８ｃ，２３ｃ  報知制御部
８ｄ，２３ｄ  端末検知部
９  ＬＡＮ
Ｐ1〜Ｐn  携帯端末
【図１】
2007026096.tif 000003
【図２】
2007026096.tif 000004
【図３】
2007026096.tif 000005
【図４】
2007026096.tif 000006
【図５】
2007026096.tif 000007
【図６】
2007026096.tif 000008
【図７】
2007026096.tif 000009